(57)【要約】【課題】肢の運動の誘発用の刺激表示画像と背景画像とを表示する際、背景映像を表示する面積を大きくする。【解決手段】画像を表示する肢応答誘導用画像表示装置１において、肢運動検出部１１は、使用者の肢が運動していることを検出する。最適視覚刺激生成部１２（表示画像生成部）は、肢が運動していることを肢運動検出部１１が検出した場合、画像全体の大きさよりも小さく、かつ、所定の空間周波数および所定の時間周波数によって画面上を特定方向に移動する刺激表示画像ＳＴを生成する。画像合成部１４は、刺激表示画像ＳＴと、あらかじめ設定された背景画像ＢＧとを合成する。すると、画像表示部１５は、刺激表示画像および背景画像ＢＧを表示する。【選択図】図１
2010072221.tif 000002
【特許請求の範囲】
【請求項１】
画像を表示する肢応答誘導用画像表示装置であって、
使用者の肢が運動していることを検出する肢運動検出部と、
前記肢が運動していることを前記肢運動検出部が検出した場合、前記画像全体の大きさよりも小さく、かつ、所定の空間周波数および所定の時間周波数によって前記画像上を特定方向に移動する刺激表示画像を生成する表示画像生成部と、
前記刺激表示画像と、あらかじめ設定された背景画像とを合成する画像合成部と、
前記画像合成部が合成した画像を表示する画像表示部とを有する肢応答誘導用画像表示装置。
【請求項２】
使用者の肢が運動していることを検出する処理と、
前記肢が運動していることを検出した場合、画像全体の大きさよりも小さく、かつ、所定の空間周波数および所定の時間周波数によって前記画像上を特定方向に移動する刺激表示画像を生成する表示画像生成処理と、
前記刺激表示画像と、あらかじめ設定された背景画像とを合成する処理と、
前記合成した画像を表示する処理とを有する肢応答誘導用画像表示方法。
【請求項３】
画像を表示する肢応答誘導用画像表示装置に、
使用者の肢が運動していることを検出する手順と、
前記肢が運動していることを検出した場合、前記画像全体の大きさよりも小さく、かつ、所定の空間周波数および所定の時間周波数によって前記画像上を特定方向に移動する刺激表示画像を生成する手順と、
前記刺激表示画像と、あらかじめ設定された背景画像とを合成する手順と、
前記合成した画像を表示する手順とを実行させるプログラム。
【請求項４】
請求項３に記載のプログラムが記録された記録媒体。
【発明の詳細な説明】
【技術分野】
【０００１】
本発明は、画像を表示する肢応答誘導用画像表示装置、肢応答誘導用画像表示方法、プログラムおよび記録媒体に関する。
【背景技術】
【０００２】
近年、使用者の視野を広く覆うように表示されている視覚刺激用の画像を突然移動させることによって、当該使用者に対して視覚運動反射を起こす生理的機能を利用して、使用者の意図と無関係に画像の移動方向へ肢を誘導したり、使用者に仮想的な外力を知覚させたりする技術が提案されている（例えば、特許文献１参照。）。
【０００３】
このような技術が適用された身体運動感覚を利用した仮想空間体感装置が、遊園地やアミューズメントパークなどにてゲーム機器などとして今後普及していく可能性がある。また、このような技術は、一方の運動感覚を伝送して遠隔地の他方に表示する装置、さらには、医療診断装置、スポーツやリハビリテーションなどの訓練装置などにも今後利用される可能性がある。
【特許文献１】特開２００４−３１７７８４号公報
【発明の開示】
【発明が解決しようとする課題】
【０００４】
特許文献１に開示された一般的な技術においては、表示されている画像全体を特定方向へ一定速度で突然移動させる。そのため、視覚運動によって肢を使用者の意図と無関係に画像の移動方向へ誘導したり、仮想的な外力を知覚させたりするための視覚刺激を与えることを目的として表示される画像のサイズを大きくして使用者の視野を広く覆う必要がある。これにより、腕を誘導する目的以外の背景画像（例えば、ゲームの映像）を大きく表示することが困難なものとなり、その使用用途が限定的なものとなってしまうという問題点がある。
【０００５】
本発明は、上述した課題を解決する肢応答誘導用画像表示装置、肢応答誘導用画像表示方法、プログラムおよび記録媒体を提供することを目的とする。
【課題を解決するための手段】
【０００６】
上記課題を解決するために、本発明の肢応答誘導用画像表示装置は、画像を表示する肢応答誘導用画像表示装置であって、使用者の肢が運動していることを検出する肢運動検出部と、前記肢が運動していることを前記肢運動検出部が検出した場合、前記画像全体の大きさよりも小さく、かつ、所定の空間周波数および所定の時間周波数によって前記画像上を特定方向に移動する刺激表示画像を生成する表示画像生成部と、前記刺激表示画像と、あらかじめ設定された背景画像とを合成する画像合成部と、前記画像合成部が合成した画像を表示する画像表示部とを有する。
【０００７】
また、上記課題を解決するために、本発明の肢応答誘導用画像表示方法は、使用者の肢が運動していることを検出する処理と、前記肢が運動していることを検出した場合、画像全体の大きさよりも小さく、かつ、所定の空間周波数および所定の時間周波数によって前記画像上を特定方向に移動する刺激表示画像を生成する表示画像生成処理と、前記刺激表示画像と、あらかじめ設定された背景画像とを合成する処理と、前記合成した画像を表示する処理とを有する。
【０００８】
また、コンピュータに実行させるプログラムであって、画像を表示する肢応答誘導用画像表示装置に、使用者の肢が運動していることを検出する手順と、前記肢が運動していることを検出した場合、前記画像全体の大きさよりも小さく、かつ、所定の空間周波数および所定の時間周波数によって前記画像上を特定方向に移動する刺激表示画像を生成する手順と、前記刺激表示画像と、あらかじめ設定された背景画像とを合成する手順と、前記合成した画像を表示する手順とを実行させる。
【０００９】
また、記録媒体であって、上述した手順を画像を表示する肢応答誘導用画像表示装置に実行させるプログラムを記録する。
【発明の効果】
【００１０】
本発明によれば、画像を表示して視覚刺激を行うときの時間周波数および空間周波数をある特定の特徴を有するように設定した場合、視覚刺激を誘発する刺激表示画像を表示する面積（刺激サイズ）を小さくしても、その肢応答自体は小さくはならないという生体反応の法則の発見を利用して、刺激サイズに応じて大きな肢反射応答を出すことができる視覚刺激を用いることで、一般的な技術よりも小さな面積を有する視覚刺激エリアで、一般的な技術と同程度の自動誘導（肢の誘導や仮想的な外力の知覚）を可能にする。
【００１１】
このような構成としたため、刺激表示画像を表示する表示領域にて、刺激表示画像以外の背景映像の表示用に割当てることができる面積を大きくすることが可能となる。
【発明を実施するための最良の形態】
【００１２】
以下、本発明の実施形態に従った肢応答誘導用画像表示装置（肢応答誘導用画像表示方法、プログラムおよび記録媒体を含む）を説明する。
【００１３】
まず、本実施形態の肢応答誘導用画像表示装置１の構成について説明する。
【００１４】
図1に示すように、本肢応答誘導用画像表示装置１（以下、「画像表示装置１」という）は、肢運動検出部１１と、最適視覚刺激生成部１２と、背景画像生成部１３と、画像合成部１４と、画像表示部１５とを有する。
【００１５】
肢運動検出部１１は、使用者の腕の動きを検出する役割を果たす。肢運動検出部１１としては、例えば、使用者が押下している際に導通し、使用者が押下を終了した際に非導通状態となる一般的なボタンなどが挙げられる。
【００１６】
この説明例では、肢運動検出部１１は、使用者が動きを停止している間、使用者の動作の停止を検出した旨を示す「動作停止検出信号ＳＴＰ」を最適視覚刺激生成部１２へ出力する。
【００１７】
また、肢運動検出部１１は、使用者が動きを開始した場合、最適視覚刺激生成部１２に対する動作停止検出信号ＳＴＰの出力を停止する。
【００１８】
最適視覚刺激生成部１２は、動作停止検出信号ＳＴＰが肢運動検出部１１から出力されてこなくなった場合、腕反射応答（つまり、肢の運動）を誘導するための「刺激表示画像ＳＴ」を生成する「表示画像生成部」である。
【００１９】
ここで、「刺激表示画像ＳＴ」は、あらかじめ設定された刺激サイズＳＺを有するとともに、動作停止検出信号ＳＴＰが肢運動検出部１１から出力されてこなくなった場合、所定の空間周波数Ｆｓｃおよび所定の時間周波数Ｆｔｍに従って特定方向に移動する画像である。
【００２０】
ここでいう「刺激サイズＳＺ」とは、刺激表示画像ＳＴの表示用に割当てられる画像表示部１５の表示領域におけるサイズである。当該刺激サイズＳＺは、使用者の背景として表示する背景画像ＢＧの大きさや、刺激表示画像ＳＴを生成する目的などに応じて、あらかじめ設定しておく。
【００２１】
また、使用者の腕の反射応答については、あらかじめ実験などを行うことにより、データを取得しておく。そして、空間周波数Ｆｓｃおよび時間周波数Ｆｔｍそれぞれは、腕反射応答についての実験により得られたデータに基づいて、使用者の腕などに対して大きな反射応答を誘発するようにあらかじめ好適に選択した値を設定しておく。なお、「空間周波数Ｆｓｃ」とは、視角１度あたりに含まれる波数（単位は、視角1度あたりの周期を表すｃｙｃｌｅ／度）である。
【００２２】
上述した刺激表示画像ＳＴを所定の空間周波数Ｆｓｃおよび所定の時間周波数Ｆｔｍによって特定方向に移動させることにより、該刺激表示画像ＳＴを視認している使用者の肢に対して当該使用者の意志と無関係な方向へ大きな運動が誘発される。そのため、使用者に刺激表示画像ＳＴの移動する方向への外力を知覚させることが可能となる。
【００２３】
背景画像生成部１３は、運動刺激以外の目的として表示される、背景を示すあらかじめ設定された背景画像ＢＧを生成する。なお、背景画像ＢＧは任意の画像でよく、例えば、ゲームの映像でもよい。
【００２４】
画像合成部１４は、最適視覚刺激生成部１２が生成した運動刺激用の刺激表示画像ＳＴと、背景画像生成部１３が生成した背景画像ＢＧとを合成する。そして、画像合成部１４は、合成された刺激表示画像ＳＴと背景画像ＢＧとを画像表示部１５へ出力する。
【００２５】
なお、ここでいう「合成」とは、刺激表示画像ＳＴを、背景画像ＢＧの上に重畳することを指す。
【００２６】
画像表示部１５は、画像合成部１４から出力されてきた合成された刺激表示画像ＳＴと背景画像ＢＧとを、任意のデータを表示するための表示領域へ表示する。該表示により、画像表示部１５は、刺激表示画像ＳＴと背景画像ＢＧとを使用者へ提示する役割を果たす。
【００２７】
なお、画像表示部１５としては、例えば、ＬＣＤ（液晶表示）パネルや、スクリーンへ画像を投影するプロジェクタなどが挙げられる。
【００２８】
つぎに、画像表示装置１の具体的な構成例について、図２（ａ）および２（ｂ）を参照して説明する。
【００２９】
図２（ａ）においては、画像表示部１５は、画像表示装置１本体と物理的に分離して構成されている。画像表示部１５としては、スクリーンＳＣへ刺激表示画像ＳＴおよび背景画像ＢＧを投影するプロジェクタＰＪが適用されている。
【００３０】
また、図２（ａ）においては、テーブルの上に設置したボタンを肢運動検出部１１として適用し、当該ボタンにより使用者の腕の動きの開始を検出する。
【００３１】
図２（ａ）に示した状態のように使用者２により押下されている間、該ボタンは、肢の動作停止を検出している旨を示す動作停止検出信号ＳＴＰを、画像表示装置１本体として適用されたコンピュータＰＣへ出力する。
【００３２】
その後、図２（ｂ）に示した状態のように使用者２が押下しているボタンから手を離した場合、当該ボタンは、コンピュータＰＣに対する動作停止検出信号ＳＴＰの出力を停止する。
【００３３】
コンピュータＰＣは、最適視覚刺激生成部１２と、背景画像生成部１３と、画像合成部１４とを構成要素として含んでいる。
【００３４】
当該コンピュータＰＣは、使用者２の腕の動きを検出する前においては、使用者２に対して視覚刺激を与えるための刺激表示画像ＳＴ（移動していない状態の静止画）と背景画像ＢＧとを合成し、該合成した刺激表示画像ＳＴ（静止画）と背景画像ＢＧとをプロジェクタＰＪへ出力する。すると、プロジェクタＰＪは、コンピュータＰＣから出力されてきた合成された刺激表示画像ＳＴ（静止画）と背景画像ＢＧとをスクリーンＳＣの背面から投影して、該刺激表示画像ＳＴと背景画像ＢＧとを表示する。
【００３５】
その後、ボタンが動作停止検出信号ＳＴＰを出力してこなくなったことにより使用者２の腕が動き始めたことを検出した時点で、コンピュータＰＣは、静止画の刺激表示画像ＳＴに代えて、刺激表示画像ＳＴ（動画）を生成する。
【００３６】
なお、ここで生成される刺激表示画像ＳＴ（動画）は、使用者２の肢の大きな運動を誘発するように、あらかじめ設定された空間周波数Ｆｓｃおよび時間周波数Ｆｔｍにより特定方向へ移動する画像である。
【００３７】
続いて、コンピュータＰＣは、生成した刺激表示画像ＳＴ（動画）と背景画像ＢＧとを合成し、該合成された刺激表示画像ＳＴ（動画）と背景画像ＢＧとプロジェクタＰＪへ出力する。すると、プロジェクタＰＪは、静止画の刺激表示画像ＳＴに代えて、コンピュータＰＣから出力されてきた刺激表示画像ＳＴ（動画）と背景画像ＢＧとの表示を開始する。
【００３８】
つぎに、本画像表示装置１により視覚刺激の呈示を行った場合に、腕応答を誘発するための一般的な画像表示装置に対して有する有効性を示すため、当該画像表示装置１において腕応答を誘発するために用いる刺激表示画像ＳＴの一例について説明する。
【００３９】
図３（ａ）に示す刺激表示画像は、腕応答を誘発するための一般的な画像表示装置にて腕応答を誘発するために用いられている一般的な刺激表示画像の一例である。図３（ａ）に示した例では、該一般的な刺激表示画像は、白と黒との帯が交互に配列されたグレーティング（マスキング縞刺激）パターンを表す画像である。図３（ａ）に示した刺激表示画像が表す白黒のグレーティングパターンの縦幅×横幅は、それぞれ視覚角度で表した場合に「４０度×８０度」である。なお、以下では、図３（ａ）に示したグレーティングパターンを「大きな視覚刺激ＬＲＧ」という。
【００４０】
大きな視覚刺激ＬＲＧを表す刺激表示画像を図２（ａ）に示したスクリーンＳＣ（表示領域）に表示した場合、図３（ｂ）に示すように、刺激表示画像の外側のエリアには背景画像ＢＧを表示することは可能であるものの、背景画像ＢＧを表示可能な領域の大きさは限られたものとなってしまう。
【００４１】
一方、本画像表示装置１においては、図４（ａ）に示すグレーティングパターンを表すように、視覚刺激用の刺激表示画像ＳＴを構成する。図４（ａ）に例示した刺激表示画像ＳＴでは、グレーティングパターンの縦幅×横幅は、視覚角度で表した場合に「０．５度×８０度」である。なお、以下では、図４（ａ）に示したグレーティングパターンを「小さな視覚刺激ＳＭＬ」という。
【００４２】
つまり、本発明の画像表示装置１にて用いる小さな視覚刺激ＳＭＬを表す刺激表示画像ＳＴを図２に例示したスクリーンＳＣに表示した場合、図４（ｂ）に示すように、刺激表示画像ＳＴ以外の背景画像ＢＧを表示する領域の大きさ（面積）を一般的な画像表示装置と比べて非常に大きなものとすることができる。つまり、腕の反射運動を誘導する目的以外に用いられる背景画像ＢＧを大きく表示することができる。
【００４３】
つぎに、本発明の画像表示装置１を用いた場合でも、一般的な画像表示装置と同様の効果が得られることを、被験者（使用者２）の手先の軌道を測定した結果を参照して説明する。
【００４４】
図３（ａ）に示した大きな視覚刺激ＬＲＧ、または、図４（ａ）に示した小さな視覚刺激ＳＭＬそれぞれを用いて、腕到達運動ターゲットを刺激中央に設定する。
【００４５】
続いて、使用者２の腕の運動の開始を図２に示したボタン（肢運動検出部１１）を用いて検出した際、刺激エリア内側のグレーティングパターンを表す刺激表示画像ＳＴを左右どちらかの方向（特定方向）に移動させながら表示する。すると、視覚刺激に対する生理的応答（視覚運動反射）として、使用者２の意図とは無関係に当該使用者２の腕が刺激表示画像ＳＴが移動した方向に運動する。
【００４６】
図５に、空間周波数Ｆｓｃが０．２［ｃｙｃｌｅ／度］に設定されたグレーティングパターンの刺激表示画像ＳＴを、１０［Ｈｚ］に設定された時間周波数Ｆｔｍによって左右それぞれの方向へ移動するように動画表示した場合の、図２に示したＸＹ水平面内でのある使用者２の手先軌道を示す。
【００４７】
なお、この説明例では、使用者２の手先の運動は、一般的なモーションキャプチャシステムを用いて記録を行った。使用者２は、（Ｘ，Ｙ）＝（８０ｍｍ，６０ｍｍ）付近を始点として手先の運動を開始し、Ｙ方向の座標が３００ｍｍ付近に設置されているスクリーンＳＣに向けて手先を伸ばしている。
【００４８】
図５（ａ）に示したデータは、一般的な手法で用いられた大きな視覚刺激ＬＲＧを表示して、使用者２へ刺激を与えた場合の手先軌道である。図５（ａ）においては、当該大きな視覚刺激ＬＲＧに対応する縦方向の視覚角度は「４０度」に設定されている。
【００４９】
図５（ａ）に示した実線は、スクリーンＳＣの左側から右側へ移動するように大きな視覚刺激ＬＲＧを動画表示した場合（つまり、右向きの運動刺激を使用者２に与えた場合）のデータを示す。また、図５（ａ）に示した点線は、スクリーンＳＣの右側から左側へ移動するように大きな視覚刺激ＬＲＧを動画表示した場合（つまり、左向きの運動刺激を使用者２に与えた場合）のデータを示す。
【００５０】
一方、図５（ｂ）に示したデータは、本発明の画像表示装置１にて用いる小さな視覚刺激ＳＭＬを表す刺激表示画像ＳＴを表示して、使用者２へ刺激を与えた場合の手先軌道である。図５（ｂ）においては、小さな視覚刺激ＳＭＬに対応する縦方向の視覚角度は「０．５度」に設定されている。
【００５１】
図５（ｂ）に示した実線は、右向きの運動刺激を使用者２に与えた場合のデータを示し、図５（ｂ）に示した点線は、左向きの運動刺激を使用者２に与えた場合のデータを示す。
【００５２】
図５（ａ）の大きな視覚刺激ＬＲＧを表示した場合および図５（ｂ）の小さな視覚刺激ＳＭＬを表示した場合ともに、腕の運動を開始してからスクリーンＳＣ（Ｙ座標＝３００ｍｍ）へ腕を伸ばす際、その途中から手先軌道が刺激表示画像（大きな視覚刺激ＬＲＧまたは小さな視覚刺激ＳＭＬ）の移動方向へ分離していき、刺激表示画像ＳＴが有する刺激サイズＳＺの大小による手先軌道の差はほとんど認められない。すなわち、刺激サイズＳＺが小さな刺激表示画像ＳＴ（小さな視覚刺激ＳＭＬ）を表示した場合でも、一般的な技術のような刺激サイズＳＺが大きな刺激表示画像（大きな視覚刺激ＬＲＧ）を表示した場合と同程度に、使用者２の意志と無関係な方向へ肢を誘導する効果を得ることができる。
【００５３】
つぎに、右向きの運動刺激における手先軌道と左向きの運動刺激における手先軌道とに基づいてｘ方向に対する腕の加速度の差分を求めることにより、刺激表示画像ＳＴの表示による刺激に対するｘ方向のＭＦＲ（Manual Following Response）加速度を求めた例について、図６を参照して説明する。ここで、「ＭＦＲ」とは、上肢到達運動中に視覚運動刺激が生じた際、当該運動している方向に無意識かつ短潜時に腕が加速する現象を指す。
【００５４】
なお、図６においては、小さな視覚刺激ＳＭＬにおいて得られたデータを実線で示し、大きな視覚刺激ＬＲＧにおいて得られたデータを破線で示す。
【００５５】
小さな視覚刺激ＳＭＬまたは大きな視覚刺激ＬＲＧの動画表示（つまり、使用者２の肢に対する刺激）を開始した時刻を０［秒］とした場合、当該開始の時刻から０．１［秒］程度が経過した際に、表示された刺激表示画像に対する腕の応答が出現し始めている。また、小さな視覚刺激ＳＭＬの大きさ（０．５度）は、大きな視覚刺激ＬＲＧの大きさ（４０度）に対して「１／８０倍」にも関わらず、同程度の大きさの腕応答（ＭＦＲ加速度）のピークが表れている。
【００５６】
さらに、図７を参照して、小さな視覚刺激ＳＭＬおよび大きな視覚刺激ＬＲＧそれぞれの刺激サイズＳＺに対して、画像表示部１５によって表示される刺激表示画像ＳＴのグレーティングパターンの空間周波数Ｆｓｃを変更した場合の、図２（ａ）のｘ方向におけるＭＦＲ加速度応答の変化について説明する。
【００５７】
図７に示すデータは、図６に示した応答時間パターン中の１２０ミリ秒〜１６０ミリ秒の区間における時間平均値を、２名の被験者に対して平均して得られた値をプロットした結果である。
【００５８】
図７に実線で示したように、小さな視覚刺激ＳＭＬをそれぞれ異なる空間周波数Ｆｓｃによって表示した場合、空間周波数Ｆｓｃを０．２［ｃｙｃｌｅ／度］付近に設定した場合に、使用者２の腕のＭＲＦ加速度の値が最大となる。また、小さな視覚刺激ＳＭＬの表示時にＭＲＦ加速度が最大となる空間周波数Ｆｓｃ（＝０．２ｃｙｃｌｅ／度）付近では、当該空間周波数Ｆｓｃによって大きな視覚刺激ＬＲＧを表示したときのＭＲＦ加速度とほぼ同じ値、または、大きな視覚刺激ＬＲＧを表示時のＭＲＦ加速度よりも少し大きな値を有するＭＲＦ加速度を示した。
【００５９】
一方、大きな視覚刺激ＬＲＧをそれぞれ異なる空間周波数Ｆｓｃによって表示した場合、空間周波数Ｆｓｃが低い場合に、大きなＭＲＦ加速度の応答を示した。しかしながら、空間周波数Ｆｓｃを０．２［ｃｙｃｌｅ／度］に設定した場合には、大きな視覚刺激ＬＲＧ表示時のＭＲＦ加速度と小さな視覚刺激ＳＭＬ表示時のＭＲＦ加速度との間の差分は少なくなる。
【００６０】
すなわち、小さな視覚刺激ＳＭＬを画像表示部１５が表示した場合、空間周波数Ｆｓｃとして０．２［ｃｙｃｌｅ／度］付近の値を選択して設定することにより、腕の反射応答（ＭＲＦ加速度）が最大となる旨の結果が得られた。このような測定結果に基づいて好適に選択された空間周波数Ｆｓｃを刺激表示画像ＳＴに対して設定することにより、大きな視覚刺激ＬＲＧよりも小さな刺激サイズＳＺを有する小さな視覚刺激ＳＭＬを画像表示部１５により表示した場合でも、大きな肢の誘導応答（ＭＲＦ加速度）を得ることが可能となる。
【００６１】
以上説明したように、本発明の画像表示装置１によれば、画像を表示するための表示領域よりも面積が小さな、肢の運動を誘発するための刺激表示画像ＳＴを、背景画像ＢＧ上に重ねて表示する。そして、画像表示装置１は、使用者２の肢が運動していることを検出した場合、表示している刺激表示画像ＳＴを所定の空間周波数Ｆｓｃおよび所定の時間周波数Ｆｔｍによって特定方向へ移動させながら表示する。
【００６２】
これにより、視覚運動によって使用者２の肢を使用者２の意志と無関係の方向へ誘導したり、使用者２に対して仮想的な外力を知覚させたりする技術において、従来よりも小さな視覚刺激エリアＳＭＬを用いて、使用者２の肢を誘導したり、使用者２に外力を知覚させたりすることが可能となる。そのため、視覚刺激以外の目的で表示される背景映像ＢＧに割当てることが可能な表示領域の面積を大きくすることが可能となる。
【００６３】
なお、本発明においては、画像表示装置１内の処理は上述の専用のハードウェアにより実現されるもの以外に、その機能を実現するためのプログラムを画像表示装置１にて読取可能な記録媒体に記録し、この記録媒体に記録されたプログラムを画像表示装置１に読み込ませ、実行するものであってもよい。画像表示装置１にて読取可能な記録媒体とは、フロッピーディスク（登録商標）、光磁気ディスク、ＤＶＤ、ＣＤなどの移設可能な記録媒体の他、画像表示装置１に内蔵されたＨＤＤ等を指す。この記録媒体に記録されたプログラムは、例えば、画像表示装置１が有する肢運動検出部１１、最適視覚刺激生成部１２（表示画像生成部）、画像合成部１４および画像表示部１５にて読み込まれ、肢運動検出部１１、最適視覚刺激生成部１２（表示画像生成部）、画像合成部１４および画像表示部１５の制御によって、上述したものと同様の処理が行われる。
【００６４】
ここで、画像表示装置１が有する肢運動検出部１１、最適視覚刺激生成部１２（表示画像生成部）、画像合成部１４および画像表示部１５は、プログラムが記録された記録媒体から読み込まれたプログラムを実行するコンピュータとして動作するものである。
【００６５】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【図面の簡単な説明】
【００６６】
【図１】本発明の実施形態に従った肢応答誘導用画像表示装置の構成を示す図である。
【図２】図１に示した肢応答誘導用画像表示装置の具体的な構成例を示す図である。
【図３】（ａ）一般的なグレーティングパターン（大きな視覚刺激）の一例を示す図である。（ｂ）大きな視覚刺激をスクリーンに表示したときの画面構成の一例を示す図である。
【図４】（ａ）本発明の画像表示装置にて用いられるグレーティングパターン（小さな視覚刺激）の一例を示す図である。（ｂ）小さな視覚刺激をスクリーンに表示したときの画面構成の一例を示す図である。
【図５】（ａ）大きな視覚刺激を表示したときの、使用者の手先軌道の計測結果を示す図である。（ｂ）小さな視覚刺激を表示したときの、使用者の手先軌道の計測結果を示す図である。
【図６】大きな視覚刺激または小さな視覚刺激を表示している場合において、時間周波数を変化させたときのＭＲＦ加速度のデータを示す図である。
【図７】大きな視覚刺激または小さな視覚刺激を表示している場合において、空間周波数を変化させたときのＭＲＦ加速度のデータを示す図である。
【符号の説明】
【００６７】
１  肢応答誘導用画像表示装置
１１  肢運動検出部
１２  最適視覚刺激生成部
１３  背景画像生成部
１４  画像合成部
１５  画像表示部
【図１】
2010072221.tif 000003
【図２】
2010072221.tif 000004
【図３】
2010072221.tif 000005
【図４】
2010072221.tif 000006
【図５】
2010072221.tif 000007
【図６】
2010072221.tif 000008
【図７】
2010072221.tif 000009